(57)【特許請求の範囲】
【請求項１】
ハウジングと、
前記ハウジングの表面に配されるモード切替部と、
を備え、
前記モード切替部が操作されたときに複数の作動モードを切り替えるように構成された可搬型動力工具であって、
前記複数の作動モードは、モータの出力が異なる複数のパワーモード、または先端工具による打撃の有無が異なる複数のモードを含み、
前記ハウジングは、前記可搬型動力工具の動力源となるバッテリーを取り付けるバッテリー装着部と、前記バッテリー装着部の上部に設けられた出力部と、によって互いに相対する面によって形成された隙間部を備え、
前記隙間部に前記モード切替部を設け、
前記モード切替部は、操作可能に露出した操作部材と、前記操作部材によって押下されるスイッチと、を備え、
前記操作部材は、使用者の指によって押し込み操作されるボタン部と、前記ボタン部が操作されたときに前記スイッチに作用する押動部と、を備え、
前記押動部は、前記ボタン部よりも工具本体の中心側、すなわち先端工具の出力軸を通る鉛直面側に設けられていることを特徴とする、可搬型動力工具。
【請求項２】
ハウジングと、
前記ハウジングの表面に配されるモード切替部と、
を備え、
前記モード切替部が操作されたときに複数の作動モードを切り替えるように構成された可搬型動力工具であって、
前記複数の作動モードは、モータの出力が異なる複数のパワーモード、または先端工具による打撃の有無が異なる複数のモードを含み、
前記ハウジングは、前記可搬型動力工具を把持するためのグリップ部の内側において互いに相対する面によって形成された隙間部を備え、
前記隙間部に前記モード切替部を設け、
前記モード切替部は、操作可能に露出した操作部材と、前記操作部材によって押下されるスイッチと、を備え、
前記操作部材は、使用者の指によって押し込み操作されるボタン部と、前記ボタン部が操作されたときに前記スイッチに作用する押動部と、を備え、
前記押動部は、前記ボタン部よりも工具本体の中心側、すなわち先端工具の出力軸を通る鉛直面側に設けられていることを特徴とする、可搬型動力工具。
【請求項３】
前記作動モードを表示するためのモード表示部を備え、
前記モード切替部と前記モード表示部とを互いに異なる面に設けたことを特徴とする、請求項１または２記載の可搬型動力工具。
【発明の詳細な説明】
【技術分野】
【０００１】
この発明は、複数の作動モードを備えた可搬型動力工具に関し、特に、作動モードを切り替えるためのモード切替部に特徴を有する可搬型動力工具に関する。
【背景技術】
【０００２】
複数の作動モードを備えた可搬型動力工具が知られている。例えば作業内容に応じてモータの出力を切り替える複数のパワーモードを備えた動力工具が知られている。こうした動力工具は、作動モードを切り替えるためのモード切替部を備えている。例えば特許文献１には、モータの回転速度をダイヤル操作によって切り替えることができる可搬型動力工具が開示されている。
【先行技術文献】
【特許文献】
【０００３】
【特許文献１】特許第５３２３３６４号公報
【発明の概要】
【発明が解決しようとする課題】
【０００４】
しかし、上記した特許文献１記載の可搬型動力工具では、作動モードを切り替えるための変速ダイヤルが工具の後方に突出して設けられている。このため、変速ダイヤルが外部からの意図しない接触により誤操作される可能性があった。
【０００５】
そこで、本発明は、作動モードを切り替えるためのモード切替部が、外部からの意図しない接触により誤操作されることを防止できる可搬型動力工具を提供することを課題とする。
【課題を解決するための手段】
【０００６】
本発明は、上記した課題を解決するためになされたものであり、以下を特徴とする。
【０００７】
請求項１記載の発明は、ハウジングと、前記ハウジングの表面に配されるモード切替部と、を備え、前記モード切替部が操作されたときに複数の作動モードを切り替えるように構成された可搬型動力工具であって、前記複数の作動モードは、モータの出力が異なる複数のパワーモード、または先端工具による打撃の有無が異なる複数のモードを含み、前記ハウジングは、前記可搬型動力工具の動力源となるバッテリーを取り付けるバッテリー装着部と、前記バッテリー装着部の上部に設けられた出力部と、によって互いに相対する面によって形成された隙間部を備え、前記隙間部に前記モード切替部を設け、前記モード切替部は、操作可能に露出した操作部材と、前記操作部材によって押下されるスイッチと、を備え、
前記操作部材は、使用者の指によって押し込み操作されるボタン部と、前記ボタン部が操作されたときに前記スイッチに作用する押動部と、を備え、前記押動部は、前記ボタン部よりも工具本体の中心側、すなわち先端工具の出力軸を通る鉛直面側に設けられていることを特徴とする。
【０００８】
請求項２に記載の発明は、ハウジングと、前記ハウジングの表面に配されるモード切替部と、を備え、前記モード切替部が操作されたときに複数の作動モードを切り替えるように構成された可搬型動力工具であって、前記複数の作動モードは、モータの出力が異なる複数のパワーモード、または先端工具による打撃の有無が異なる複数のモードを含み、前記ハウジングは、前記可搬型動力工具を把持するためのグリップ部の内側において互いに相対する面によって形成された隙間部を備え、前記隙間部に前記モード切替部を設け、前記モード切替部は、操作可能に露出した操作部材と、前記操作部材によって押下されるスイッチと、を備え、前記操作部材は、使用者の指によって押し込み操作されるボタン部と、前記ボタン部が操作されたときに前記スイッチに作用する押動部と、を備え、前記押動部は、前記ボタン部よりも工具本体の中心側、すなわち先端工具の出力軸を通る鉛直面側に設けられていることを特徴とする。
【０００９】
【００１０】
請求項３に記載の発明は、上記した請求項１または２記載の発明の特徴点に加え、前記作動モードを表示するためのモード表示部を備え、前記モード切替部と前記モード表示部とを互いに異なる面に設けたことを特徴とする。
【００１１】
【発明の効果】
【００１２】
本発明は上記の通りであり、ハウジングは、互いに相対する面によって形成された隙間部を備え、前記隙間部にモード切替部を設けた。このような構成によれば、工具本体の表面にモード切替部が設けられておらず、モード切替部を操作するには隙間部に作業者の指などを挿し込んで操作する必要がある。よって、外部からの意図しない接触により誤操作されることを防止できる。
【００１３】
また、モード切替部を下にして可搬型動力工具を平坦面に載置したとしても、モード切替部が平坦面に相対しない。よって、モード切替部が地面に押し付けられて意図せずに操作されるといった問題も防止できる。
【００１４】
また、請求項１に記載の発明は上記の通りであり、バッテリー装着部と出力部との間に前記モード切替部を設けた。このような構成によれば、バッテリー装着部と出力部との間の隙間を利用してモード切替部を配置できるので、機械を大型化することなく隙間部にモード切替部を配置できる。
【００１５】
また、請求項２に記載の発明は上記の通りであり、グリップ部の対向面に前記モード切替部を設けた。このような構成によれば、グリップ部を把持するときに指を挿し込む隙間を利用してモード切替部を配置できるので、機械を大型化することなく隙間部にモード切替部を配置できる。
【００１６】
また、請求項３に記載の発明は上記の通りであり、前記作動モードを表示するためのモード表示部を備え、前記モード切替部と前記モード表示部とを互いに異なる面に設けた。このような構成によれば、モード切替部を工具本体の隙間部に配置した場合でも、モード表示部を工具本体の表面（隙間部以外）に配置できるので、モード表示部の視認性を向上させることができる。
【００１７】
また、モード切替部とモード表示部とを別の場所に配置することで、モード切替部を操作しているときに作業者の指がモード表示部を覆ってしまうといった問題を回避できる。よって、操作時のモード表示部の視認性が向上する。
【００１８】
また、本発明は上記の通りであり、前記モード切替部は、操作可能に露出した操作部材と、前記操作部材によって押下されるスイッチと、を備え、前記操作部材は、使用者の指によって押し込み操作されるボタン部と、前記ボタン部が操作されたときに前記スイッチに作用する押動部と、を備え、前記押動部は、前記ボタン部よりも工具本体の中心側に設けられている。このような構成によれば、指で操作されるボタン部とスイッチとをずらして配置することができる。ボタン部とスイッチとを重ねて配置した場合には、スイッチの高さに加え、指を挿入するための隙間の高さが必要となるため、機械の全高を高くする必要がある。この点、本発明のようにボタン部とスイッチとをずらして配置すれば、工具本体の表面側では指を挿入するための隙間を大きく確保できるとともに、工具本体の中心側では高さのあるスイッチを配置することができる。よって、機械の全高を高くしなくても、モード切替部を工具本体の隙間部に配置することができる。
【図面の簡単な説明】
【００１９】
【図１】可搬型動力工具の外観図である。
【図２】可搬型動力工具の左側面図である。
【図３】可搬型動力工具の正面図である。
【図４】（ａ）可搬型動力工具の内部構造を示す図、（ｂ）Ａ−Ａ線断面図である。
【図５】制御回路基板と基板ケースの分解図である。
【図６】可搬型動力工具の右側面図である。
【図７】可搬型動力工具のＢ−Ｂ線における一部拡大断面図である。
【図８】（ａ）第１の変形例に係る可搬型動力工具の外観図、（ｂ）第２の変形例に係る可搬型動力工具の外観図である。
【発明を実施するための形態】
【００２０】
本発明の実施形態について、図を参照しながら説明する。なお、以下の説明において「前」とは、可搬型動力工具１０の出力方向（先端工具が突出した先端方向）を意味する。
【００２１】
本実施形態に係る可搬型動力工具１０は、先端工具を往復動させることにより打撃を生じさせるハンマドリルである。図１〜３に示すように、この可搬型動力工具１０の先端部には、ドリルビットやブルポイントなどの先端工具（図示せず）を着脱可能な先端工具取付部１０ａが設けられている。この先端工具取付部１０ａに先端工具を取り付けた後に、先端工具をコンクリートや石材等の対象物に押し付けて可搬型動力工具１０を駆動させると、先端工具で穿孔や破砕を行うことができる。なお、本実施形態においてはハンマドリルを例に説明するが、本発明の実施形態としてはハンマドリルに限らず、他の種類の可搬型動力工具１０であってもよい。
【００２２】
この可搬型動力工具１０は、図４に示すように、ハウジング１１と、モータ２５と、出力部２９と、ファン２６と、トリガスイッチ２８と、バッテリコネクタ２７と、バッテリー６０と、制御回路基板３０と、を備えている。
【００２３】
ハウジング１１は、可搬型動力工具１０を覆うケース部材であり、機械の前側を覆う本体ハウジング１２と、本体ハウジング１２の後部に連設されるグリップハウジング１３と、を備えている。
【００２４】
本体ハウジング１２は、出力部２９を収容する機構収容部１２ａと、機構収容部１２ａの後方に連設されたモータ収容部１２ｂと、機構収容部１２ａの下方に設けられたバッテリー装着部１２ｃと、を備える。
【００２５】
機構収容部１２ａは、出力部２９を収容するコーン形状の部位であり、内部が密閉された状態でモータ収容部１２ｂに接合されている。
【００２６】
モータ収容部１２ｂは、モータ２５及びファン２６を収容する短筒状の部位である。このモータ収容部１２ｂの側方には、ファン２６が作動したときに外部から空気を取り込むためのスリット（図示せず）が形成されている。このスリットは、後述する吸気口１１ａと連通しており、吸気口１１ａから取り込んだ外気がスリットを通過して本体ハウジング１２の内部に導入されるように形成されている。
【００２７】
バッテリー装着部１２ｃは、バッテリー６０を取り付けるための部位である。このバッテリー装着部１２ｃは、機構収容部１２ａの下方に機構収容部１２ａと並ぶように配置されて、前方に突出して形成されている。このバッテリー装着部１２ｃの下面には、バッテリー６０の摺動をガイドするレール部が形成されており、バッテリー６０を前方からスライドさせて取り付け可能となっている。
【００２８】
このバッテリー装着部１２ｃの内部には、制御回路基板３０及びバッテリコネクタ２７が互いに平行に収容されている。バッテリコネクタ２７は制御回路基板３０よりも下方に配置されている。
【００２９】
このバッテリー装着部１２ｃの左側面（機械を正面から見たときに左側に位置する面）には、図２に示すように、風窓１１ｂが形成されている。この風窓１１ｂは、ファン２６が生成した冷却風を外部へ排出するための開口部である。なお、本実施形態においては、図１に示すように、右側面には風窓１１ｂが形成されていない。このため、右手で工具を持ったときに風窓１１ｂが体の方を向かないので、冷却風が体に吹き付けられることがなく、使用者が快適に工具を使用できる。
【００３０】
また、図１に示すように、このバッテリー装着部１２ｃの右側面にはモード表示部５５が設けられ、バッテリー装着部１２ｃの上面にはモード切替部５０が設けられている。本実施形態に係る可搬型動力工具１０は、作動モードとして複数のパワーモードを備えており、モード切替部５０を操作することでパワーモードを切替可能となっている。現在のパワーモードはモード表示部５５に表示されて使用者に通知される。本実施形態に係るモード表示部５５は、ＬＥＤ窓５５ａを備えており、このＬＥＤ窓５５ａを通して、後述する表示用ＬＥＤ３３の点灯状況が視認できるようになっている。
【００３１】
具体的には、本実施形態に係る可搬型動力工具１０は、モータ２５の出力が異なる３つのパワーモード（強モード、中モード、弱モード）を備えている。モード切替部５０を押下操作すると、「強モード」→「中モード」→「弱モード」と順番にパワーモードが切り替わる。なお、パワーモードが「弱モード」の状態でモード切替部５０を押下操作すると
「強モード」に移行する。現在のパワーモードはモード表示部５５（表示用ＬＥＤ３３）によって表示される。例えば、点灯する表示用ＬＥＤ３３の数でパワーモードが表示される。なお、点灯する表示用ＬＥＤ３３の数でパワーモードを表示する方法に限らず、どの表示用ＬＥＤ３３が点灯しているか、表示用ＬＥＤ３３が何色で点灯しているか、といったことでパワーモードを確認できるようにしてもよい。
【００３２】
なお、本実施形態においては、この表示用ＬＥＤ３３によって機械の異常を通知するようにしている。例えば、機械の温度が高温となった場合に表示用ＬＥＤ３３が点滅し、機械を使用できない状態を使用者に通知するようにしてもよい。
【００３３】
また、このバッテリー装着部１２ｃの前面には、図３に示すように、照射用窓部１１ｃが設けられている。この照射用窓部１１ｃは、後述する照射用ＬＥＤ３２の光を通過させるために設けられている。この照射用窓部１１ｃから照射用ＬＥＤ３２の光を照射することで、作業箇所を明るくすることができる。
【００３４】
グリップハウジング１３は、モータ包囲部１３ａと、モータ包囲部１３ａの下方に延在するグリップ部１３ｂと、グリップ部１３ｂの下端部から前方に向けて突出する連結部１３ｃと、を備える。
【００３５】
モータ包囲部１３ａは、本体ハウジング１２のモータ収容部１２ｂの後端を覆うように取り付けられる籠状の部位である。このモータ包囲部１３ａの側方には、ファン２６が作動したときに外部から空気を取り込むための吸気口１１ａが開口形成されている。
【００３６】
グリップ部１３ｂは、作業者が可搬型動力工具１０の使用時に握る部位である。このグリップ部１３ｂの内部には後述するトリガスイッチ２８が収容されている。
【００３７】
連結部１３ｃは、グリップ部１３ｂの下端部から略直角に前方に突出している。この連結部１３ｃの前端部は、回り継ぎ手２１を介して本体ハウジング１２に回動可能に連結されている。
【００３８】
上記した本体ハウジング１２とグリップハウジング１３とは、以下のように接続されている。
【００３９】
まず、グリップハウジング１３の上部（モータ包囲部１３ａの上端付近）は、図４に示すように、弾性部材２０を介して変位可能に本体ハウジング１２に接続されている。弾性部材２０は、本体ハウジング１２とグリップハウジング１３と間に圧縮して配置される圧縮バネである。この弾性部材２０は、本体ハウジング１２とグリップハウジング１３とが互いに相対移動したときに、弾性変形することで振動を吸収する役割を果たす。
【００４０】
一方、グリップハウジング１３の下部（連結部１３ｃの先端）は、回り継ぎ手２１を介して回動可能に本体ハウジング１２に接続されている。
【００４１】
このように構成することで、打撃の反力によって先端が押し戻され、工具を回転させようとする力が働いたときでも、弾性部材２０と回り継ぎ手２１とによってこのような反力を吸収され、グリップ部１３ｂを握っている手に振動が伝わりにくくなっている。
【００４２】
モータ２５は、可搬型動力工具１０の後方においてハウジング１１の内部に収容されている。このモータ２５の出力軸は、後述する出力部２９に接続されており、モータ２５の回転力が出力部２９に伝達されるようになっている。
【００４３】
出力部２９は、モータ２５を駆動力として先端工具を作動させるものであり、モータ２５の前方に配置されている。この出力部２９はピストンを内蔵しており、モータ２５を駆動力として作動する。具体的には、モータ２５が回転するとその回転力が出力部２９の内部機構に伝達され、モータ２５の駆動力によってピストンが往復動する。ピストンの前端には先端工具を打撃するための打撃子が取り付けられており、この打撃子により先端工具が打撃されるようになっている。
【００４４】
なお、詳細は省略するが、この出力部２９は複数の作業モードを備えている。例えば、先端工具が回転しながら打撃する回転・打撃モードと、先端工具が打撃せずに回転だけを実行する回転モードと、を備えており、これらの作業モードを切り替えて使用できるように構成されている。この作業モードは図１に示すモード切替レバー５３によって切り替えられる。
【００４５】
ファン２６は、モータ２５や制御回路基板３０を冷却するために可搬型動力工具１０の内部に冷却風を供給するためのものであり、本実施形態においてはモータ２５と出力部２９との間に配置されている。このファン２６は、モータ２５の出力軸に接続されており、モータ２５が回転したときに同時に回転する。ファン２６が回転すると、ハウジング１１の側部に開口する吸気口１１ａから外部の空気が吸い込まれるとともに、ハウジング１１内の空気がハウジング１１の側部に開口する風窓１１ｂから外部へと排出される。言い換えると、ファン２６によって生成された冷却風は、吸気口１１ａから風窓１１ｂへと至る風路を通過するようになっている。
【００４６】
トリガスイッチ２８は、モータ２５を作動させるための操作部であり、グリップ部１３ｂを握ったときにちょうど人差し指がかかる位置に配設されている。このトリガスイッチ２８を引き操作したときに、制御回路基板３０にトリガスイッチ２８の操作信号が出力され、この操作信号に基づいて制御回路基板３０がモータ２５の回転制御を行うようになっている。
【００４７】
バッテリコネクタ２７は、バッテリー６０を電気的に接続するためのものであり、バッテリー６０に接続される端子部を備えている。このバッテリコネクタ２７はバッテリー装着部１２ｃに内蔵されており、バッテリコネクタ２７の端子部がバッテリー装着部１２ｃの下面に露出するように配置されている。
【００４８】
バッテリー６０は、モータ２５や制御回路基板３０に電力を供給し、出力部２９の動力源となる二次電池である。このバッテリー６０は、ハウジング１１のバッテリー装着部１２ｃに取り付け可能な着脱式のバッテリー６０であり、バッテリー装着部１２ｃから取り外して充電ができるようになっている。
【００４９】
特に図示しないが、バッテリー６０をバッテリー装着部１２ｃにスライドさせると、バッテリー装着部１２ｃのレール部に沿ってバッテリー６０が移動し、バッテリー装着部１２ｃの係合凹部にバッテリー６０のラッチが係合することでバッテリー６０が固定される。バッテリー６０が固定されると、バッテリコネクタ２７の端子部とバッテリー６０の端子部が電気的に接続される。
【００５０】
制御回路基板３０は、モータ２５の作動などを制御するためのものである。この制御回路基板３０には、図５に示すように、モータ２５を駆動するＦＥＴ３１ａ〜３１f、機械の前方を照射するための照射用ＬＥＤ３２、パワーモードを表示するための表示用ＬＥＤ３３、パワーモードを変更するためのタクトスイッチ３４などの電子部品が実装されている。
【００５１】
この制御回路基板３０は、出力部２９の下方かつバッテリー６０の上方に、先端工具の軸方向に平行となるように配置される。この制御回路基板３０の収容空間は、モータ２５の収容空間と連通しており、ファン２６が生成した冷却風の風上にモータ２５が配置され、風下に制御回路基板３０が配置されている。ファン２６が生成した冷却風は、制御回路基板３０の上面に沿って流れ、風窓１１ｂへと導かれる。
【００５２】
上記した制御回路基板３０は、図５に示すような基板ケース４０に収容された状態でハウジング１１に固定される。基板ケース４０は、図５に示すように、底板部４０ａの４辺から４つの壁部４０ｂ〜４０ｅが立ち上がることにより、制御回路基板３０を収容するための収容部４０ｆを形成している。この基板ケース４０は、収容部４０ｆに制御回路基板３０がぴったりと収まるように形成されている。例えば、制御回路基板３０の外周には二箇所に切欠き３０ａが形成されているが、この切欠き３０ａに対応するように基板ケース４０も切欠かれている。この切欠き位置には第１配線ガイド４１及び第２配線ガイド４２が形成されている。これらの第１配線ガイド４１及び第２配線ガイド４２は、制御回路基板３０に接続される電線を配線するためのガイド部である。なお、第２配線ガイド４２には電線を引っ掛けるためのフック４２ａが設けられている。また、これらの切欠き位置とは別の位置には、フック４３ａを備えた第３配線ガイド４３が形成されている。この第３配線ガイド４３も制御回路基板３０に接続される電線を配線するためのガイド部である。
【００５３】
基板ケース４０の底部には、図４（ｂ）に示すように、ネジ固定部４４が下方に突出形成されている。このネジ固定部４４は、基板ケース４０をハウジング１１にネジ４８で固定するための部位である。このネジ固定部４４を貫通するようにネジ４８を取り付け、ネジ４８をハウジング１１に螺着することで、基板ケース４０がハウジング１１にしっかりと固定されるようになっている。
【００５４】
なお、制御回路基板３０に実装された照射用ＬＥＤ３２と表示用ＬＥＤ３３とは、図５に示すように、互いに直交する方向に向けて光を照射するように配設されている。照射用ＬＥＤ３２の光は、照射用窓部１１ｃ（図１等参照）を通して機械の前方に照射される。また、表示用ＬＥＤ３３の光は、ＬＥＤ窓５５ａ（図１等参照）を通して機械の右方に照射される。
【００５５】
ところで、上記したように、本実施形態に係る可搬型動力工具１０は、ハウジング１１の表面、具体的にはバッテリー装着部１２ｃの上面にモード切替部５０を備えており、このモード切替部５０が操作されたときに複数のパワーモードを切り替えるように構成されている。モード切替部５０を配したバッテリー装着部１２ｃの上面は、図３及び図７に示すように、出力部２９を収容した機構収容部１２ａの下面と互いに相対している。このため、バッテリー装着部１２ｃと機構収容部１２ａ（出力部２９）との間には、隙間部Ｓが形成されている。この隙間部Ｓにモード切替部５０が設けられることで、モード切替部５０を操作する際に隙間部Ｓに指を挿し込んで操作するようになっている。
【００５６】
なお、バッテリー装着部１２ｃの上面は、中心から側面方向に行くに従って低くなるように傾斜して形成されている。このため、指を挿し込む開口付近の隙間幅Ｗが大きく形成されており、指を挿し込み易くなっている。
【００５７】
モード切替部５０は、図７に示すように、操作可能に露出した操作部材５１と、操作部材５１によって押下されるタクトスイッチ３４と、を備えて構成されている。
【００５８】
操作部材５１は、下方に押下操作可能な部材であり、表面が外部に露出し、裏面が制御回路基板３０に臨むようにハウジング１１に取り付けられている。この操作部材５１の操作面５１ａには、使用者の指によって押し込み操作されるボタン部５１ｂが設けられている。また、操作部材５１の裏側には、ボタン部５１ｂが操作されたときにタクトスイッチ３４に作用する押動部５１ｃが設けられている。押動部５１ｃは、制御回路基板３０上のタクトスイッチ３４に臨むように配置されている。この押動部５１ｃは、ボタン部５１ｂよりも工具本体の中心側（出力部２９の出力軸を通る鉛直面側）に設けられている。このような配置とすることで、背の高いタクトスイッチ３４を工具本体の中心側に配置することが可能となる。
【００５９】
操作部材５１の上面は、図７に示すように、押動部５１ｃからボタン部５１ｂの方向へ行くに従って徐々に低くなるように傾斜している。言い換えると、押動部５１ｃの上面はボタン部５１ｂの上面よりも高い位置となっている。このような構成とすることで、押動部５１ｃにおいては下方にスペースを確保し、ボタン部５１ｂにおいては上方にスペースを確保するようになっている。このため、制御回路基板３０の位置を下げて隙間部Ｓを大きくしなくても、押動部５１ｃの下方に背の高いタクトスイッチ３４を収容でき、かつ、ボタン部５１ｂの上方に指を挿し込むための隙間幅Ｗが確保されるようになっている。
【００６０】
モード切替部５０が操作されてパワーモードが切り替わると、どのモードに移行したかがモード表示部５５に表示される。このモード表示部５５は、図１等に示すように、工具本体の右側面に設けられており、モード切替部５０とは異なる面に設けられている。このため、モード切替部５０を操作しているときでも、操作している手がモード表示部５５を覆わず、現在のパワーモードが視認し易くなっている。本実施形態においては、モード表示部５５のＬＥＤ窓５５ａとモード切替部５０の操作部材５１とが互いに前後にずれて配置されている。具体的には、図６に示すように、モード表示部５５のＬＥＤ窓５５ａの方が、モード切替部５０の操作部材５１よりも後方に配置されている。このようにモード表示部５５とモード切替部５０とを互いにオフセットして配置することで、操作している手でモード表示部５５を覆ってしまうことを更に防止し、モード表示部５５の視認性を高めている。
【００６１】
以上説明したように、本実施形態によれば、ハウジング１１は、互いに相対する面によって形成された隙間部Ｓを備え、この隙間部Ｓにモード切替部５０を設けた。このような構成によれば、工具本体の表面にモード切替部５０が設けられておらず、モード切替部５０を操作するには隙間部Ｓに作業者の指などを挿し込んで操作する必要がある。よって、外部からの意図しない接触により誤操作されることを防止できる。
【００６２】
また、モード切替部５０を下にして可搬型動力工具１０を平坦面に載置したとしても、モード切替部５０が平坦面に相対しない。よって、モード切替部５０が地面に押し付けられて意図せずに操作されるといった問題も防止できる。
【００６３】
また、バッテリー装着部１２ｃと出力部２９との間にモード切替部５０を設けた。このような構成によれば、バッテリー装着部１２ｃと出力部２９との間の隙間を利用してモード切替部５０を配置できるので、機械を大型化することなく隙間部Ｓにモード切替部５０を配置できる。
【００６４】
また、作動モードを表示するためのモード表示部５５を備え、モード切替部５０とモード表示部５５とを互いに異なる面に設けた。このような構成によれば、モード切替部５０を工具本体の隙間部Ｓに配置した場合でも、モード表示部５５を工具本体の表面（隙間部Ｓ以外）に配置できるので、モード表示部５５の視認性を向上させることができる。
【００６５】
また、モード切替部５０とモード表示部５５とを別の場所に配置することで、モード切替部５０を操作しているときに作業者の指がモード表示部５５を覆ってしまうといった問題を回避できる。よって、操作時のモード表示部５５の視認性が向上する。
【００６６】
また、モード切替部５０は、操作可能に露出した操作部材５１と、操作部材５１によって押下されるタクトスイッチ３４と、を備え、操作部材５１は、使用者の指によって押し込み操作されるボタン部５１ｂと、ボタン部５１ｂが操作されたときにタクトスイッチ３４に作用する押動部５１ｃと、を備え、押動部５１ｃは、ボタン部５１ｂよりも工具本体の中心側に設けられている。このような構成によれば、指で操作されるボタン部５１ｂとタクトスイッチ３４とをずらして配置することができる。ボタン部５１ｂとタクトスイッチ３４とを重ねて配置した場合には、タクトスイッチ３４の高さに加え、指を挿入するための隙間幅Ｗの高さが必要となるため、機械の全高を高くする必要がある。この点、本実施形態のようにボタン部５１ｂとタクトスイッチ３４とをずらして配置すれば、工具本体の表面側では指を挿入するための隙間幅Ｗを大きく確保できるとともに、工具本体の中心側では高さのあるタクトスイッチ３４を配置することができる。よって、機械の全高を高くしなくても、モード切替部５０を工具本体の隙間部Ｓに配置することができる。
【００６７】
なお、上記した実施形態においては、バッテリー装着部１２ｃと出力部２９との間にモード切替部５０を設けた。しかしながら、本発明の実施形態としてはこれに限らず、他の場所にモード切替部５０を設けてもよい。例えば、図８（ａ）または図８（ｂ）に示すように、グリップ部１３ｂの対向面にモード切替部５０を設けてもよい。このような構成によれば、グリップ部１３ｂを把持するときに指を挿し込む隙間を利用してモード切替部５０を配置できるので、機械を大型化することなく隙間部Ｓにモード切替部５０を配置できる。
【００６８】
また、上記した実施形態においては、モード切替部５０が操作されたときにパワーモードが切り替わることとしたが、これに限らず、モード切替部５０が操作されたときに別の作動モードを切り替えるようにしてもよい。例えば、モード切替部５０が操作されたときに作業モード（「回転・打撃モード」「回転モード」）が切り替わるようにしてもよい。
【符号の説明】
【００６９】
１０  可搬型動力工具
１０ａ  先端工具取付部
１１  ハウジング
１１ａ  吸気口
１１ｂ  風窓
１１ｃ  照射用窓部
１２  本体ハウジング
１２ａ  機構収容部
１２ｂ  モータ収容部
１２ｃ  バッテリー装着部
１３  グリップハウジング
１３ａ  モータ包囲部
１３ｂ  グリップ部
１３ｃ  連結部
２０  弾性部材
２１  回り継ぎ手
２５  モータ
２６  ファン
２７  バッテリコネクタ
２８  トリガスイッチ
２９  出力部
３０  制御回路基板
３０ａ  切欠き
３１ａ〜３１ｆ  ＦＥＴ
３２  照射用ＬＥＤ
３３  表示用ＬＥＤ
３４  タクトスイッチ
４０  基板ケース
４０ａ  底板部
４０ｂ〜４０ｅ  壁部
４０ｆ  収容部
４１  第１配線ガイド
４２  第２配線ガイド
４２ａ  フック
４３  第３配線ガイド
４３ａ  フック
４４  ネジ固定部
４８  ネジ
５０  モード切替部
５１  操作部材
５１ａ  操作面
５１ｂ  ボタン部
５１ｃ  押動部
５３  モード切替レバー
５５  モード表示部
５５ａ  ＬＥＤ窓
６０  バッテリー
Ｓ  隙間部
Ｗ  隙間幅
【図１】
0006606941.tif 000002
【図２】
0006606941.tif 000003
【図３】
0006606941.tif 000004
【図４】
0006606941.tif 000005
【図５】
0006606941.tif 000006
【図６】
0006606941.tif 000007
【図７】
0006606941.tif 000008
【図８】
0006606941.tif 000009